(57)【特許請求の範囲】
【請求項１】
屋根枠組に屋根面材を取着してなる屋根パネルと、天井枠組に天井面材を取着してなる天井パネルとを有してなる天井付き屋根ユニットであって、前記屋根枠組の最外縁を構成する所定の屋根枠部材が上弦材を兼ねる一方、前記屋根枠部材と対応する前記天井枠組の最外縁の天井枠部材が下弦材を兼ね、これら上弦材と下弦材との間に斜材又は斜材及び垂直材がトラス構造に組まれてなり、前記屋根パネルと天井パネルとが、互いに隔離状態で上下に相対向配置されてなると共に、トラス構造に組み込まれた前記斜材又は斜材及び垂直材を介して、接合一体化されてなることを特徴とする天井付き屋根ユニット。
【請求項２】
前記天井枠組に天井面材を取着してなる天井パネルが、勾配天井用パネルであることを特徴とする請求項１記載の天井付き屋根ユニット。
【請求項３】
前記屋根パネルと天井パネルとが、上弦材と下弦材と斜材又は斜材及び垂直材とから組み立てられた屋根トラス梁を介して、相互に隔てられ、かつ、前記屋根枠組の最外縁を構成する所定の屋根枠部材が前記上弦材に当接固定される一方、前記屋根枠部材と対応する前記天井枠組の最外縁の天井枠部材が前記下弦材に当接固定されて、接合一体化されてなることを特徴とする請求項１又は２記載の天井付き屋根ユニット。
【請求項４】
上弦材と下弦材と斜材又は斜材及び垂直材とから組み立てられた一対の屋根トラス梁が相対向配置され、前記上弦材間に複数のたる木が差し渡されてなると共に、前記下弦材間に複数の天井根太が差し渡されてなることを特徴とする請求項１、２又は３記載の天井付き屋根ユニット。
【請求項５】
屋根部と天井部とで画成される小屋裏空間には、断熱材が充填されていることを特徴とする請求項１、２、３又は４記載の天井付き屋根ユニット。
【請求項６】
前記天井付き屋根ユニットの側面部には、壁枠組に壁面材を取着してなる壁パネルが取着されていることを特徴とする請求項１、２、３、４又は５記載の天井付き屋根ユニット。
【請求項７】
前記壁パネルには、前記小屋裏空間を仕切る壁部位に換気口が設けられていて、部屋空間を仕切る壁部位に窓開口部が設けられていることを特徴とする請求項６記載の天井付き屋根ユニット。
【発明の詳細な説明】
【０００１】
【発明の属する技術分野】
この発明は、天井付き屋根ユニットに係り、特に、勾配天井を持つユニット建物に適用して好適な天井付き屋根ユニットに関する。
【０００２】
【従来の技術】
近年、建物の工業生産化率を高める一方式として、ユニット建物が広く普及している。このユニット建物は、一棟の建物を、予めいくつかのユニットに分けて工場生産し、これらのユニットを建築現場において施工・組立する方式の建物である。ユニット建物を構成するユニットとしては、建物の居間、食堂、寝室等の各部屋部分を構成する部屋ユニットと、建物の屋根部分を構成する屋根ユニットとがある。これらのユニットは、予め、工場生産され、建築現場において施工、組立される。組立は、まず、部屋ユニットを基礎に据え付けて相互に連結し、次に、据え付けられた各部屋ユニットの上部に、屋根ユニットを据え付け、これらの屋根ユニットを相互に連結して行われる。
【０００３】
上記部屋ユニットは、根太からなる方形の床枠組の上面にパーティクルボード等の床面材を取着してなる床パネルの側縁部に、上枠、下枠、縦枠等から組み立てられた壁枠組の内外両面に石膏ボードや硬質木片セメント板等の壁面材を取着してなる壁パネルを立設して構成されている。また、屋根ユニットは、例えば、特開平０２−１７８４５２号公報に記載されているように、妻トラス梁、軒梁、継梁、たる木等の複数の枠部材によって組み立てられた屋根枠組の上部に、構造用合板やパーティクルボード等の屋根面材（野地板）を取り付けることによって屋根構面として構成されている。ところで、従来、屋根ユニットの下に取り付けられる勾配天井は、実開昭５６−６５０２３号公報や特開平０５−３２１３９２号公報等に記載されているように、建築現場にて、天井野縁取付具等の天井吊り部材を屋根面の要所要所に取り付け、これらの天井吊り部材によって天井パネルを傾けた状態で吊り支える構成となっている。
【０００４】
【発明が解決しようとする課題】
しかしながら、上記従来の勾配天井では、天井野縁取付具等の専用の天井吊り部材を用意しなければならず、また、天井面は、屋根面から吊り下ろされた状態で支持されているため、構造的に弱いという問題がある。加えて、現場施工では、角度出し等の困難な作業を強いられる上に、勾配天井では平らな天井に比べて小屋裏空間が狭小なため、断熱材の貼り具合や天井パネルの傾き具合によって、小屋裏の換気性能や断熱性能にばらつきが生じるという不都合もあった。
【０００５】
この発明は、上述の事情に鑑みてなされたもので、屋根面と天井面とで強い屋根構面を作ると共に、現場施工の負担を軽減することのできる天井付き屋根ユニットを提供することを目的としている。
【０００６】
【課題を解決するための手段】
上記課題を解決するために、請求項１記載の発明は、屋根枠組に屋根面材を取着してなる屋根パネルと、天井枠組に天井面材を取着してなる天井パネルとを有してなる天井付き屋根ユニットであって、前記屋根枠組の最外縁を構成する所定の屋根枠部材が上弦材を兼ねる一方、前記屋根枠部材と対応する前記天井枠組の最外縁の天井枠部材が下弦材を兼ね、これら上弦材と下弦材との間に斜材又は斜材及び垂直材がトラス構造に組まれてなり、前記屋根パネルと天井パネルとが、互いに隔離状態で上下に相対向配置されてなると共に、トラス構造に組み込まれた前記斜材又は斜材及び垂直材を介して、接合一体化されてなることを特徴としている。
【０００７】
また、請求項２記載の発明は、請求項１記載の天井付き屋根ユニットであって、前記天井枠組に天井面材を取着してなる天井パネルが、勾配天井用パネルであることを特徴としている。
【０００８】
また、請求項３記載の発明は、請求項１又は２記載の天井付き屋根ユニットであって、前記屋根パネルと天井パネルとが、上弦材と下弦材と斜材又は斜材及び垂直材とから組み立てられた屋根トラス梁を介して、相互に隔てられ、かつ、前記屋根枠組の最外縁を構成する所定の屋根枠部材が前記上弦材に当接固定される一方、前記屋根枠部材と対応する前記天井枠組の最外縁の天井枠部材が前記下弦材に当接固定されて、接合一体化されてなることを特徴としている。
ここで、この請求項３記載の発明における上弦材は請求項１記載の所定の屋根枠部材を兼ね、請求項３記載の発明における下弦材は請求項１記載の所定の天井枠部材を兼ねている。
【０００９】
また、請求項４記載の発明は、請求項１、２又は３記載の天井付き屋根ユニットであって、上弦材と下弦材と斜材又は斜材及び垂直材とから組み立てられた一対の屋根トラス梁が相対向配置され、前記上弦材間に複数のたる木が差し渡されてなると共に、前記下弦材間に複数の天井根太が差し渡されてなることを特徴としている。
【００１０】
また、請求項５記載の発明は、請求項１、２、３又は４記載の天井付き屋根ユニットであって、屋根部と天井部とで画成される小屋裏空間には、断熱材が充填されていることを特徴としている。
【００１１】
また、請求項６記載の発明は、請求項１、２、３、４又は５記載の天井付き屋根ユニットであって、前記天井付き屋根ユニットの側面部には、壁枠組に壁面材を取着してなる壁パネルが取着されていることを特徴としている。
【００１２】
また、請求項７記載の発明は、請求項６記載の天井付き屋根ユニットであって、前記壁パネルには、前記小屋裏空間を仕切る壁部位に換気口が設けられていて、部屋空間を仕切る壁部位に窓開口部が設けられていることを特徴としている。
【００１３】
【作用】
この発明の構成において、屋根枠組の最外縁を構成する所定の屋根枠部材が上弦材を兼ねる一方、屋根枠部材と対応する天井枠組の最外縁の天井枠部材が下弦材を兼ね、これら上弦材と下弦材との間に斜材又は斜材及び垂直材がトラス構造に組まれてなり、屋根パネルと天井パネルとが、互いに隔離状態で上下に相対向配置されてなると共に、トラス構造に組み込まれた斜材又は斜材及び垂直材を介して、接合一体化されてなる。それゆえ、この発明の構成によれば、屋根面と天井面とがトラス構造により互いに接合されているので、水平力に強い屋根構面を得ることができる。また、同屋根ユニットは、予め工場で厳正なる品質管理の下で、作ることができるので、工業生産化率の向上に寄与することができ、工場から建築現場へ供給するようにすれば、小屋裏の換気性能や断熱性能が安定し、現場施工の負担を軽減できる。
【００１４】
【発明の実施の形態】
以下、図面を参照してこの発明の実施例について説明する。
◇第１実施例
図１は、この発明の第１実施例である天井付きの棟側屋根ユニットＢ１の構成を示す斜視図、図２は、同棟側屋根ユニットＢ１を分解して示す分解斜視図、図３は、同棟側屋根ユニットＢ１に適用されるトラス構造の要部を示す部分斜視図、図４は、同実施例である天井付きの軒先側屋根ユニットＢ２の構成を示す斜視図、また、図５は、同軒先側屋根ユニットＢ２を分解して示す分解斜視図である。まず、図１及び図２を参照して、棟側屋根ユニットＢ１から説明する。この例の棟側屋根ユニットＢ１は、切妻屋根の棟側部分を構成する屋根ユニットに係り、片流れの屋根パネル１と、勾配天井用の天井パネル２とが、上下方向に互いに隔離配置された状態で、桁側の両側にて、斜材３ａ、３ｂ及び長短の垂直材４ａ、４ｂ、５ａ、５ｂを介して、トラス構造で接合一体化されてなると共に、妻側の両側に一対の妻子壁パネル６、６が取着されてなっている。
【００１５】
上記屋根パネル１は、屋根の勾配に応じて木口がそれぞれ斜めに切られた複数のたる木（例えば、厚さ３８ｍｍ、幅１４０ｍｍの２０６材）１１、１１、…に直交して、これらの木口と突付けの状態で一対の桁側屋根継梁（例えば、厚さ３８ｍｍ、幅１８４ｍｍの２０８材）１２、１２が釘打ちされて方形の屋根枠組とされ、この屋根枠組の上面に構造用合板やパーティクルボード等の屋根面材（野地板）１３が取り付けられて構成されている。また、上記天井パネル２は、天井の勾配に応じて木口がそれぞれ斜めに切られている複数の天井根太（例えば、厚さ３８ｍｍ、幅８９ｍｍの２０４材）２１、２１、…に直交して、これらの木口と突付けの状態で一対の桁側天井継梁（例えば、２０４材）２２、２２が釘打ちされて方形の天井枠組が構成され、この天井枠組の下面に石膏ボード等の天井面材２３が取り付けられてなっている。なお、最外側の天井根太２１、２１は、妻小壁パネル６、６の内面に当接状態で釘打ち固定できるように、２枚合わせの構成となっている。
【００１６】
ここで、棟側屋根ユニットＢ１の桁側の両側縁端では、屋根パネル１を構成する桁側屋根継梁１２の下面と天井パネル２を構成する桁側天井継梁２２の上面との間に左右各一対の長垂直材（例えば、厚さ３８ｍｍ、幅２３５ｍｍの２１０材）４ａ、４ｂと短垂直材５ａ、５ｂ（例えば、２１０材）と斜材（例えば、２０４材）３ａ、３ｂとが介挿され、図３に示すように、ベンタイト鋼製のネイルプレート７、７、…を用いて釘打ち固定されることにより、屋根パネル１と天井パネル２との間でトラス構造の接合がなされている。このトラス構造（図１）では、屋根枠組を構成する桁側屋根継梁１２が上弦材を兼ね、一方、天井枠組を構成する桁側天井継梁２２が下弦材を兼ねる構成となっている。また、上記長垂直材４ａ、４ｂは、上側の木口が、上弦材（桁側屋根継梁１２）の左右の側端部下面に当接されると共に、下弦材（桁側天井継梁２２）を越える延在状態で配置され、下側の木口は、妻小壁パネル６の下枠６２の対応する端部上面に当接されている（後述）。また、上記斜材３ａ、３ｂは、上弦材（桁側屋根継梁１２）と下弦材（桁側天井継梁２２）と長垂直材４ａ、４ｂと短垂直材５ａ、５ｂとで画成される方形の対角線上に配置固定されている。
【００１７】
上記各妻小壁パネル６は、屋根の勾配に沿って順次高さが低くなる複数の斜枠（例えば、２０４材）６１、６１、…の上端と下端のそれぞれにおいてこれらの木口と突付けの状態で、下枠６２（例えば、２０４材）と（屋根の勾配に応じて、傾斜する）上枠（例えば、２０４材）６３とがそれぞれ釘打ちされて壁枠組が構成され、この壁枠組の内外両面に石膏ボードや硬質木片セメント板等の壁面材６４、６４が取着されて耐力壁とされている。また、必要に応じて、壁内面にはグラスウール、ロックウール等の無機繊維系断熱材やポリスチレンフォーム、ウレタンフォーム等の発泡プラスチック系断熱材等が充填されていて、小屋裏空間を仕切る上部壁部分には、小屋裏結露防止用のがらり付きの換気口が、部屋空間を仕切る下部壁部分には高窓用の開口部Ｋが設けられている。
【００１８】
この例の妻小屋パネル６において、上枠６３の上面には屋根パネル１（最外縁のたる木１１）が載置されていて、この屋根パネル１の下方で、屋根パネル１から短垂直材５ａ、５ｂの長さ分だけ隔離した内壁面の部位には、所定の勾配を持つ天井パネル２が、当接されて釘打ち固定されている。それゆえ、天井パネル２の当接固定部位よりも上方の壁部分が小屋裏空間を仕切るための壁となっていて、下方の壁部分が部屋区間を仕切るための壁となっている。また、下枠６２は、両側の最外縁の縦枠６１よりも、長垂直材４ａ、４ｂの１枚分の厚さ程度、長さ方向外方に突出しており、これらの突出部分に（トラス構造構成部材である）長垂直材４ａ、４ｂが下側の木口を突き合わせた状態で、最外縁の縦枠６１に釘打ち固定されることにより、屋根パネル１と天井パネル２と妻小壁パネル６、６とがトラス構造の形態で一体接合されている。
【００１９】
上記構成の棟側屋根ユニットＢ１を組み立てるには、まず、屋根パネル１を構成する桁側屋根継梁１２、１２の下面に、短垂直材５ａ、５ｂをネイルプレート７、７で懸架状態に固定する。次いで、妻小壁パネル６の最外縁の縦枠６１、６１に長垂直材４ａ、４ｂを合わせて釘打ち固定した後、一対の妻小壁パネル６、６を所定の間隔を開けて並設し、上枠６３、６３間に屋根パネル１を載置架設して、桁側屋根継梁１２、１２と長垂直材４ａ、４ｂとをネイルプレート７、７で固定する。次に、天井パネル２を構成する桁側天井継梁２２の上面を短垂直材５ａ、５ｂの下面に当接させた状態を保ちながら、天井パネル２を妻小壁パネル６の縦枠６１、６１に内側から釘打ちして固定する。この後、桁側天井継梁２２と長垂直材４ａ、４ｂとをネイルプレートで固定し、さらに、斜材３ａ、３ｂを長垂直材４ａ、４ｂと短垂直材５ａ、５ｂとの間に介挿し、ネイルプレート７、７で固定する。
【００２０】
次に、図４及び図５を参照して、軒先側屋根ユニットＢ２について説明する。この例の軒先側屋根ユニットＢ２は、切妻屋根の軒先側部分を構成する屋根ユニットに係り、片流れの屋根パネル１１０と、勾配天井用の天井パネル１２０とが、上下方向に互いに隔離配置された状態で、桁側の両側にて、斜材１３０ａ、１３０ｂ、長短の垂直材１４０ａ、１４０ｂ、１５０ａ、１５０ｂ及び屋根軒梁１７０を介して、トラス構造で接合一体化されてなると共に、妻側の両側に一対の妻小壁パネル１６０、１６０が取着されてなっている。また、屋根軒梁１７０の下面には、頭つなぎ１８０が取着されている。頭つなぎ１８０を設けたのは、この部位が、図６に示すように、部屋ユニットＡの壁パネル１９０の上枠１９１に当接載置されるからである。屋根パネル１１０は、屋根の勾配に応じて木口がそれぞれ斜めに切られた複数のたる木（２０６材）１１１、１１１、…に直交して、これらの木口と突付けの状態で一対の桁側屋根継梁１１２と鼻隠し１１４とが釘打ちされて方形の屋根枠組とされ、この屋根枠組の上面に構造用合板やパーティクルボード等の屋根面材（野地板）１１３が取り付けられて構成されている。
【００２１】
また、上記天井パネル１２０は、天井の勾配に応じて木口がそれぞれ斜めに切られている複数の天井根太（２０４材）１２１、１２１、…に直交して、これらの木口と突付けの状態で一対の桁側天井継梁（２０４材）１２２と天井軒梁１２４が釘打ちされて方形の天井枠組が構成され、この天井枠組の下面に石膏ボード等の天井面材１２３が取り付けられてなっている。なお、最外側の天井根太１２１、１２１は、妻小壁パネル１６０、１６０の内側に当接状態で釘打ち固定できるように、２枚合わせの構成となっている。
【００２２】
この軒先側屋根ユニットＢ２が、上述の棟側屋根ユニットＢ１と大きく異なるところは、軒先部分が、同図に示すように、部屋ユニットＡの壁パネル１９０から外方に突き出すこととなるので、屋根軒梁１７０の上面に、屋根軒梁１７０と直交して延在するたる木１１１、１１１、…を、図示せぬ緊結金物を用いて載置固定するようにした点である。ここで、軒先側屋根ユニットＢ２の桁側の棟側縁端では、屋根パネル１１０を構成する桁側屋根継梁１１２の下面と天井パネル１２０を構成する桁側天井継梁１２２の上面との間に左右各一対の長垂直材（２１０材）１４０ａ、１４０ｂと短垂直材１５０ａ、１５０ｂ（２１０材）と斜材（２０４材）１３０ａ、１３０ｂとが介挿され、ネイルプレートで釘打ち固定されることにより、屋根パネル１と天井パネル２との間でトラス構造の接合がなされている。一方、桁側の軒先側縁端では、屋根軒梁１７０の下面と天井パネル１２０を構成する天井軒梁１２４の上面との間に左右各一対の長垂直材（２１０材）１４０ａ、１４０ｂと短垂直材（２１０材）１５０ａ、１５０ｂと斜材（２０４材）１３０ａ、１３０ｂとが介挿され、ネイルプレートで釘打ち固定されることにより、屋根パネル１１０と天井パネル１２０との間でトラス構造の接合がなされている。このトラス構造（図４）では、屋根枠組を構成する桁側屋根継梁１１２と屋根軒梁１７０が上弦材を兼ね、一方、天井枠組を構成する桁側天井継梁１２２と天井軒梁１２４とが下弦材を兼ねる構成となっている。
【００２３】
上記構成の軒先側屋根ユニットＢ２を組み立てるには、まず、屋根パネル１を構成する桁側屋根継梁１１２の下面に、短垂直材１５０ａ、１５０ｂをネイルプレートで懸架状態に固定し、天井パネル１２０の天井軒梁１２４の下面に頭つなぎ１８０を釘打ち固定する。次いで、妻小壁パネル１６０の最外縁の縦枠１６１、１６１に長垂直材１４０ａ、１４０ｂを合わせて釘打ち固定した後、一対の妻小壁パネル６、６を所定の間隔を開けて並設し、長垂直材１４０ｂ、１４０ｂ間に屋根軒梁１７０を架設固定する。次に、妻小壁パネル１６０、１６０の上枠６３、６３間に屋根パネル１１０を載置架設して、桁側屋根継梁１１２と長垂直材１４０ａとをネイルプレート７、７で固定する。次に、天井パネル１２０を構成する桁側天井継梁１２２と天井軒梁１２４の上面を短垂直材１５０ａ、１５０ｂの下面に当接させた状態を保ちながら、天井パネル１２０を妻小壁パネル１６０の縦枠１６１、１６１に内側から釘打ちして固定する。この後、桁側天井継梁１２２、天井軒梁１２４と長垂直材１４０ａ、１４０ｂとをネイルプレートで固定し、さらに、斜材１３０ａ、１３０ｂを長垂直材１４０ａ、１４０ｂと短垂直材１５０ａ、１５０ｂとの間に介挿し、ネイルプレートで固定する。
【００２４】
このようにして形成された棟側屋根ユニットＢ１及び軒先側屋根ユニットＢ２は、建築現場に搬送されて、図６に示すように、基礎上に据え付けられた部屋ユニットＡ、Ａの上部（壁パネル１９０の上枠１９１）に載置固定されて、ユニット建物の棟側屋根面及び軒先側屋根面を構成する。
【００２５】
上記構成の天井付きの屋根ユニットＢ１、Ｂ２によれば、屋根面と天井面とがトラス構造により互いに接合されているので、水平力に強い屋根構面を得ることができる。また、同屋根ユニットＢ１、Ｂ２は、予め工場で作ることができるので、工業生産化率の向上に寄与することができ、工場から建築現場へ供給するようにすれば、小屋裏の換気性能や段悦性能が安定し、現場施工の負担を軽減できる。
【００２６】
◇第２実施例
次に、この発明の第２実施例について説明する。図７は、この発明の第２実施例である天井付きの棟側屋根ユニットＣ１を分解して示す分解斜視図である。なお、完成品は、図１と同様である。この例の棟側屋根ユニットＣ１は、上弦材２１１ａ、２１１ｂと下弦材２１２ａ、２１２ｂと斜材２１３ａ、２１３ｂと長短の垂直材２１４ａ、２１４ｂ、２１５ａ、２１５ｂとから組み立てられた一対の屋根トラス梁２１０ａ、２１０ｂが相対向配置され、上弦材２１１ａ、２１１ｂ間に複数のたる木２２０、２２０、…が差し渡され、一方、下玄材２１２ａ、２１２ｂ間に複数の天井根太２３０、２３０、…が差し渡されることにより、屋根面と天井面とがトラス構造で接合一体化されてなり、さらに、妻側の両側に一対の妻子壁パネル２６０、２６０が取着されてなっている（妻子壁パネル２６０は、図１の妻小壁パネル６と全く同一構造であるので、その説明を省略する）。
【００２７】
上記構成の棟側屋根ユニットＣ１を組み立てるには、先ず、妻小壁パネル２６０と屋根トラス梁２１０ａ、２１０ｂとを接合して一体化する。この接合は、妻小壁パネル２６０の最外縁の縦枠２６１、２６１に長垂直材２１４ａ、２１４ｂを合わせた状態で、長垂直材２１４ａ側から最外縁の縦枠２６１へ釘を打ち付けることで行われる。この後、屋根トラス梁２１０ａ、２１０ｂ間のうち、互いに向かい合う上弦材２１１ａ、２１１ｂのそれぞれの内側面に複数のたる木２２０、２２０、…の木口を突付けて、上弦材２１１ａ、２１１ｂの外側面の側から釘を打ち付けることで、たる木２２０、２２０、…を上弦材２１１ａ、２１１ｂ間に架け渡す。次いで、互いに向かい合う下弦材２１２ａ、２１２ｂのそれぞれの内側面に複数の天井根太２３０、２３０、…の木口を突付けて、下弦材２１２ａ、２１２ｂの外側面の側から釘を打ち付けることで、天井根太２３０、２３０、…を下弦材２１２ａ、２１２ｂ間に架け渡す。最後に、たる木２２０、２２０、…の上面に屋根面材を取着し、天井根太２３０、２３０、…の下面に天井面材を取着して天井付きの棟側屋根ユニット（図１）を完成させる。
ここで、上述の上弦材２１１ａはたる木２２０、２２０、…を取着することで図１の屋根枠部材としての軒先屋根継梁１２を兼ねており、また、上述の下弦材２１２ａ、２１２ｂは、天井根太２３０、２３０…を取着することで図１の天井枠部材としての桁側天井継梁を兼ねている。
【００２８】
同様に、屋根トラス梁を組み立て、この屋根トラス梁間にたる木や天井根太を架け渡すことで、屋根パネルや天井パネルを設けることなく、第１実施例と同一構成の軒先側屋根ユニット（図４）を得ることができる。
【００２９】
以上、この発明の実施例を図面により詳述してきたが、具体的な構成はこの実施例に限られるものではなく、この発明の要旨を逸脱しない範囲の設計の変更等があってもこの発明に含まれる。例えば、屋根の形式は、切妻屋根に限らず、寄棟屋根にも適用できる。また、片流れの屋根面を有する屋根ユニットに限らず、両流れの屋根面を有する屋根ユニットに適用することもできる。また、勾配天井に限らず、平らな天井に適用することもできる。斜材や短垂直材は、各一対に限らず、複数対用いてもよく、また、必要に応じて、垂直材は省略することができる。また、妻小壁パネルは、現場にて天井付きの屋根ユニットに取り付けても良い。
【００３０】
また、まず、屋根パネルと天井パネルと壁パネルと屋根トラス梁とをそれぞれ別個に組み立てた後、これらを組み付けるようにしてもよい。
【００３１】
【発明の効果】
以上説明したように、この発明の天井付き屋根ユニットの構成によれば、屋根面と天井面とがトラス構造により互いに接合されているので、水平力に強い屋根構面を得ることができる。また、同屋根ユニットは、予め工場で厳正なる品質管理の下で作ることができるので、工業生産化率の向上に寄与することができ、工場から建築現場へ供給するようにすれば、小屋裏の換気性能や断熱性能が安定し、現場施工の負担を軽減できる。
【図面の簡単な説明】
【図１】  この発明の第１実施例である天井付きの棟側屋根ユニットの構成を示す斜視図である。
【図２】  同棟側屋根ユニットを分解して示す分解斜視図である。
【図３】  同棟側屋根ユニットに適用されるトラス構造の要部を示す斜視図である。
【図４】  同実施例である天井付きの軒先側屋根ユニットの構成を示す斜視図である。
【図５】  同軒先側屋根ユニットＢ２を分解して示す分解斜視図である。
【図６】  同棟側屋根ユニットと軒先側屋根ユニットとを部屋ユニットの上部に据え付け固定した様子を示す斜視図である。
【図７】  この発明の第２実施例である天井付きの棟側屋根ユニットの構成を分解して示す斜視図である。
【符号の説明】
１、１１０        屋根パネル
１１、１１１、２２０      たる木
１２、１１２        軒先側屋根継梁（上弦材）
１３、１１３        屋根面材
２１１ａ、２１１Ｂ        上弦材
２１２ａ、２１２Ｂ        下弦材
２、１２０        天井パネル
２１、２３０        天井根太
２２、１２２      桁側天井継梁（下弦材）
１７０      屋根軒梁（上弦材）
１２４      天井軒梁（下弦材）
２３、１２３      天井面材
３ａ、３ｂ、１３０ａ、１３０ｂ、２１３ａ、２１３ｂ      斜材
４ａ、４ｂ、１４０ａ、１４０ｂ、２１４ａ、２１４ｂ      長垂直材（垂直材）
５ａ、５ｂ、１５０ａ、１５０ｂ、２１５ａ、２１５ｂ      短垂直材（垂直材）
２１０ａ、２１０ｂ      屋根トラス梁
６、１６０、２６０      妻小壁パネル（壁パネル）
６４      壁面材
Ｋ    開口部
Ｂ１、Ｃ１    棟側屋根ユニット（天井付き屋根ユニット）
Ｂ２    軒先側屋根ユニット（天井付き屋根ユニット）
【図１】
0003696932.tif 000002
【図２】
0003696932.tif 000003
【図３】
0003696932.tif 000004
【図４】
0003696932.tif 000005
【図５】
0003696932.tif 000006
【図６】
0003696932.tif 000007
【図７】
0003696932.tif 000008